(57)【要約】      （修正有）【課題】螺子止め用の段差を設ける必要がなく、螺子止めが容易で、変形のおそれのない電気、電子機器等のユニット取り付け構造を提供する。【解決手段】受け体２の内側壁面１８に、螺子穴のあるナット２０が回転自在に取付けられ、ユニットケース３にその前面から側面へ貫通する螺子９が設けられ、回転ナット２０は受け体２に収容されたユニットケース３の螺子９の先端部１１で押すと回転して螺子穴にユニット１の螺子９がねじ込み可能となり、螺子９を回転ナット２０の螺子孔にねじ込んで、ユニット１を受け体２に取付けた取付け構造。また、回転ナット２０を、シャシ２の奥行き方向に複数箇所備え、ユニット１を奥行き方向に一列に多段に取付け可能とした。さらに、回転ナット２０に螺子込まれた螺子９の頭部１０がユニットケース３の内側までねじ込まれるようにした。【選択図】図３
2005159140.tif 000002
【特許請求の範囲】
【請求項１】
電気、電子機器等のユニットをシャシ、ラック等の受け体の差し込み口からその内部に収納して螺子、ビス等の止め具で取付けるユニットの取付け構造において、
前記受け体の内側壁面に螺子穴のあるナットが回転自在に取付けられ、
ユニットケースにそのユニットケースの前面から側面へ貫通する螺子が設けられ、
前記回転ナットは受け体に収容されたユニットケースの螺子の先端部で押すと回転して螺子穴にユニットの螺子がねじ込み可能となり、
当該螺子を回転ナットの螺子孔にねじ込んで、ユニットを受け体に取付けたことを特徴とする受け体へのユニットの取付け構造。
【請求項２】
前記請求項１記載の受け体へのユニットの取付け構造において、
受け体の内部空間の奥行き長が二以上のユニットを収容可能であり、
受け体の内部空間の内径寸法が開口部から最奥部まで同じに形成され、
回転ナットが受け体の奥行き方向二箇所以上に備えられ、
二以上のユニットが受け体内の奥行き方向に一列に収容され、
夫々のユニットは夫々のユニットケースに設けられた螺子を受け体の回転ナットにねじ込んで受け体に取付けられたことを特徴とする受け体へのユニットの取付け構造。
【請求項３】
請求項１又は請求項２記載の受け体へのユニットの取付け構造において、回転ナットにねじ込まれた螺子の頭部がユニットケースの内側までねじ込まれたことを特徴とする受け体へのユニットの取付け構造。
【発明の詳細な説明】
【技術分野】
【０００１】
本発明は、一つのシャシ、ラック等の受け体に、多数の電子・電気機器ユニットを収容して螺子止めした、受け体へのユニットの取付け構造に関するものである。
【背景技術】
【０００２】
シャシ、ラック等の受け体に、多数の電子・電気機器等のユニットを収容した機器として、例えば、ＣＡＴＶ用のヘッドエンド等がある。それら機器の受け体へのユニットの取付け構造の一例として図５、図６に示すものがある。
【０００３】
図５に示す取付け構造は、前方開口の箱型の受け体Ａの対向壁面Ｂに外側に突出する取付け部Ｃを形成し、その取付け部Ｃの取付け板Ｄに螺子孔Ｅを形成し、受け体Ａ内に収容したユニットケースＨの前面から差し込んだ螺子Ｇを螺子孔Ｅにねじ込んで、ユニットＦを受け体Ａに取付けてある。
【０００４】
図６に示す取付け構造は、前方開口の箱型の受け体Ａの対向壁面Ｂに、斜め外側に突出する取付け部Ｃを形成し、その取付け部Ｃの取付け板Ｄに螺子孔Ｅを形成し、受け体Ａ内に収容したユニットケースＨの側壁Ｊに差し込んである螺子Ｇを、受け体Ａの螺子孔Ｅに斜めにねじ込んで、ユニットＦを受け体Ａに取付けてある。この場合、螺子Ｇの頭部ＫはユニットケースＨの前面より内側までねじ込まれている。
【発明の開示】
【発明が解決しようとする課題】
【０００５】
しかし、図５に示す取付け構造には、以下のような課題がある。
（１）受け体Ａに外側に突出する（段差のある）取付け部Ｃがあるため、その分だけ受け体Ａのサイズが大きくなる。
（２）段差があり、構造が複雑であるため、製作に手間がかかり、コストが高くなる。
（３）二以上のユニットＦを、一つの受け体内に前後に一列に多段に収納するためには、受け体Ａ内を複数の段差にしなければならず、段差分だけ受け体Ａの間口が広がり、受け体Ａのサイズが大きくなる。また、ユニットＦの寸法を広がった受け体Ａの寸法に合わせる必要があるため、ユニット寸法を統一化できず、サイズの異なるユニットＦが多種少量ずつ必要になり、コスト高になり、受け体ＡへのユニットＦの取付け作業も面倒になる。
【０００６】
図６に示す取付け構造は以下のような課題がある。
（１）螺子Ｇによる締め付け力がユニットケースＨの広範囲（図中矢印方向）に作用し、ユニットケースＨが変形するおそれがあるため、ユニットケースＨが広範囲に亘ってその締め付け力に耐えうる強度を備える必要がある。このため、ユニットケースＨ及び受け体Ａの材料に肉厚のものが必要になり、作業性が悪くなったり、コスト高になったりする。
【課題を解決するための手段】
【０００７】
本発明は、受け体の製作が容易で、二以上のユニットケースを前後方向に一列に多段に収納しても、受け体の間口幅が広くならず、統一されたサイズで、同一構造のユニットを多段に収納可能であって、ユニット及び受け体に特に強い強度を必要としない、受け体へのユニットの取付け構造を提供するものである。
【０００８】
本件出願の請求項１記載の受け体へのユニットの取付け構造は、電気、電子機器等のユニットをシャシ、ラック等の受け体の差し込み口からその内部に収納して螺子、ビス等の止め具で取付けるユニットの取付け構造において、前記受け体の内側壁面に螺子穴のあるナットが回転自在に取付けられ、ユニットケースにそのユニットケースの前面から側面へ貫通する螺子が設けられ、前記回転ナットは受け体に収容されたユニットケースの螺子の先端部で押すと回転して螺子穴にユニットの螺子がねじ込み可能となり、当該螺子を回転ナットの螺子孔にねじ込んで、ユニットを受け体に取付けたものである。
【０００９】
本件出願の請求項２記載の受け体へのユニットの取付け構造は、請求項１記載の受け体へのユニットの取付け構造において、受け体の内部空間の奥行き長が二以上のユニットを収容可能であり、受け体の内部空間の内径寸法が開口部から最奥部まで同じに形成され、回転ナットが受け体の奥行き方向二箇所以上に備えられ、二以上のユニットが受け体内の奥行き方向に一列に収容され、夫々のユニットは夫々のユニットケースに設けられた螺子を受け体の回転ナットにねじ込んで受け体に取付けられたものである。
【００１０】
本件出願の請求項３記載の受け体へのユニットの取付け構造は、請求項１又は請求項２記載の受け体へのユニットの取付け構造において、回転ナットにねじ込まれた螺子の頭部がユニットケースの内側までねじ込まれたものである。
【発明の効果】
【００１１】
本件出願の請求項１記載の受け体へのユニットの取付け構造は次のような効果がある。
（１）受け体の内側壁面に螺子穴のあるナットが回転自在に取付けられているので、受け体にねじ止め用の段差を設ける必要がなく、受け体の製作に手間がかからず、受け体の生産性が向上し、コストの低減にも資する。
（２）回転ナットは受け体に収容したユニットに設けられている螺子の先端部で押すと回転して、当該螺子をねじ込み可能となるため、受け体へのユニットの螺子止めが容易になる。
（３）螺子による締め付け力が回転ナットとその周辺部のみに作用し、受け体やユニットケースの広範囲に作用しないため、受け体やユニットケースが変形することもない。このため、受け体やユニットケースを軽量のものとすることができ、作業性が向上し、安価にもなる。
【００１２】
本件出願の請求項２記載の受け体へのユニットの取付け構造には、上記各効果のほかに次のような効果もある。
（１）受け体の内部空間の奥行き長が二以上のユニットを収容可能であり、受け体の内部空間の内径寸法が開口部から最奥部まで同じであるため、複数のユニットを前後方向に一列に収容する場合でも、受け体の間口が広くなるようなことが無く、受け体の外形が大きくなることもなく、コンパクトになる。
（２）受け体の内部空間の内径寸法が開口部から最奥部まで同じであるため、それに収容するユニットの外形寸法を一種類のサイズに統一することができ、ユニットの製造コストが低減し、受け体への取付けも容易になる。
【００１３】
本件出願の請求項３記載の受け体へのユニットの取付け構造には、上記各効果のほかに次のような効果もある。
（１）回転ナットにねじ込まれた螺子の頭部がユニットケースの内側までねじ込まれるため、ユニットの前面に螺子の頭部による凹凸ができず、ユニットを奥行き方向に多段に取付ける場合や、受け体に蓋をする際に余分な空間が生じず、受け体の外形が大きくなることもなく、コンパクトになる。
【発明を実施するための最良の形態】
【００１４】
（実施形態１）
本発明の受け体へのユニットの取付け構造の実施形態の一例を、ＣＡＴＶ伝送路用のヘッドエンドを例にして、図面に基づいて詳細に説明する。
本発明の受け体へのユニットの取付け構造を使用するＣＡＴＶ伝送路用のヘッドエンドは、図１に示すようなユニット１を、図２に示すようなシャシ２の差し込み口１５からシャシ２の内部に収納して、螺子９で取付けてなる（図３（ｃ）参照）。
【００１５】
前記ユニット１は、図１に示すようなユニットケース３内に、部品を設けてなる電気・電子機器等である。前記ユニットケース３の後面５には、ユニット１と外部とを接続可能なコネクタ７が突設され、また、ユニットケース３の前面４には、他のユニット等のコネクタを接続可能なコネクタ取付け口６が開口されている。また、ユニットケース３には、ユニットケース３の前面４から両側面８へと貫通する螺子９が、螺子９の頭部１０をユニットケース３の前面４から突出させて、且つ螺子９の先端部１１をユニットケース３の側面８に位置させて左右一対に備えられ、ユニットケース３の前面４から頭部１０を押し込んでユニットケース３の側面８から斜め外側にねじ先端部１１を突出させることができるようにしてある。ユニットケース３の側面８には、ねじ先端部１１を突出させるための切り欠き部１２、及び後述する回転ナット２０を係止する位置決め部１３が、ユニットケース３の内側に斜めに形成されている。また、本実施形態では、螺子９の頭部１０は、螺子９を完全に押し込むと、ユニットケース３の前面４に埋めこまれるようにしてあるが、螺子９の頭部１０は、螺子９を完全に押し込んでもユニットケース３の前面４から突出したままとなるようにしてもよい。
【００１６】
前記シャシ２は、図２に示すように、前方開口の箱型であって、前方の開口面は前記ユニット１を挿入可能な差し込み口１５とされている。シャシ２の内部空間２１の内径寸法は、前記ユニット１を密に収容できる幅及び高さで、開口部から最奥部まで同じ幅及び高さに形成されている。シャシ２の後面１６には、コネクタ取付け口１７が備えられ、また、対向する両内側壁面１８は平滑に形成され、両内側壁面１８には一対の回転ナット２０が備えられている。前記回転ナット２０は、両内側壁面１８に螺子穴２３を位置させ、軸２２によって自在に横回転するように備えられている。回転ナット２０は、通常時は回転ナット２０を備えた内側壁面１８が平滑となるようにシャシ２の内部空間２１に突出することなく備えられている。また、回転ナット２０は、前記ユニット１が差し込み口１５から内部空間２１内に収納された際に、前記螺子９が押し込まれてその先端部１１が突出する先の内側壁面１８に備えられ、押し込まれて突出した螺子９の先端部１１に押されて、螺子穴２３をねじ先端部１１に向ける方向に回転するようにしてある。螺子９の先端部１１に押されて回転した回転ナット２０は、その一部が内部空間２１内に突出し、前記ユニット１の位置決め部１３に当たって係止されるようにしてある。従って、ユニット１をシャシ２内の正しい位置に固定することができるようになる。
【００１７】
（使用例１）
本発明の受け体へのユニットの取付け構造を用いて、ユニット１をシャシ２に取付けるには、次のようにする。
１．図３（ａ）に示すように、ユニット１をシャシ２の差し込み口１５から内部空間２１に挿入する。
２．図３（ｂ）に示すように、ユニット１を、ユニット１のコネクタ７が、シャシ２のコネクタ取付け口１７内に嵌入される位置まで挿入したら、螺子９の頭部１０を押し込んで、螺子９の先端部１１を回転ナット２０に当てて回転ナット２０を回転させて、先端部１１が螺子穴２３に当たるようにする。回転した回転ナット２０は、ユニット１の位置決め部１３に係止され、ユニット１は固定される位置に位置決めされる。
３．図３（ｃ）に示すように、螺子９を締め付けて回転ナット２０に固定し、ユニット１の取付けは完了する。この場合、螺子９を完全にねじ込むと、螺子９の頭部１０はユニットケース３の内側までねじ込まれ、ユニットケース３の前面には突出しない。
【００１８】
（実施形態２）
本発明の受け体へのユニットの取付け構造の実施形態の他の一例を、ＣＡＴＶ伝送路用のヘッドエンドを例にして、図面に基づいて詳細に説明する。
本実施形態の受け体へのユニットの取付け構造も、基本的な構成は前記実施形態１に記載のものと共通する。本実施形態に示す受け体へのユニットの取付け構造は、図４に示すように、ユニット１がシャシ２の奥行き方向に多段に取付けられる取付け構造である。
【００１９】
図４に示すように、本実施形態のシャシ２は、その内部空間２１の奥行き長がユニットを二つ収容可能な長さに形成され、且つその内径寸法がユニット１を密に収容できる幅及び高さで、開口部から最奥部まで同じ幅及び高さに形成されたものである。また、両内側壁面１８には、前記実施形態１と同様の回転ナット２０ａ、２０ｂが、シャシ２の内部空間２１の奥行き方向二箇所に備えられている。なお、回転ナット２０の数は、奥行き方向に二箇所には限られず、必要に応じて縦方向に備えるなど、任意の数とすることができる。
【００２０】
また、図４に示すように、各ユニット１ａ、１ｂは、前記実施形態１と同様のものを用いている。本実施形態においては、シャシ２に、前記実施形態１と同様にしてユニット１ａを取付けた後に、ユニット１ａの上から更に別の二つ目のユニット１ｂをシャシ２内に挿入し、既に取付けてあるユニット１ａのユニットケース３ａの前面４ａのコネクタ取付け口６ａにコネクタ７ｂを挿入して、螺子９ｂを、シャシ２の開口部付近に備えられている回転ナット２０ｂにおいて固定して取付けて、ユニット１をシャシ２内で奥行き方向多段に取付けることができる。
なお、本実施形態においても、各ユニット１ａ、１ｂの螺子９ａ、９ｂの頭部１０ａ、１０ｂは、夫々螺子９ａ、９ｂを完全に押し込むと、ユニットケース３ａ、３ｂの前面４ａ、４ｂに埋めこまれるようにしてあるが、ユニットを１ａ、１ｂを図４のように多段に収納した場合に、ユニット１ａのユニットケース３ａの前面４ａと、ユニット１ｂのユニットケース３ｂの後面５ｂとの間に十分な間隔があれば、螺子９ａ、９ｂの頭部１０ａ、１０ｂは、螺子９ａ、９ｂを完全に押し込んでもユニットケース３ａ、３ｂの前面４ａ、３ｂから突出したままとなるようにしてもよい。
【００２１】
（その他の実施形態）
本発明の回転ナットの数及び螺子の数は、前記各実施形態に記載のものには限られず、取付けるユニットの数や大きさに応じて任意の数とすることができる。
【００２２】
本発明の受け体の形状は、前記各実施形態に記載の箱型のシャシには限られず、枠型のラック等いずれの形状のものを用いることも可能である。
【産業上の利用可能性】
【００２３】
本発明のシャシへのユニットの取付け構造は、例えばＣＡＴＶ伝送路用のヘッドエンド装置等、多くの電気機器を組み込んだ装置に応用することができる。
【図面の簡単な説明】
【００２４】
【図１】本発明の受け体へのユニットの取付け構造の実施に使用するユニットの平面説明図。
【図２】本発明の受け体へのユニットの取付け構造の実施に使用するシャシの平面説明図。
【図３】（ａ）〜（ｃ）は、本発明を用いてシャシにユニットを取付ける様子を示す平面説明図。
【図４】本発明の受け体へのユニットの取付け構造の他の実施形態を示す平面説明図。
【図５】従来の受け体へのユニットの取付け構造の一例を示す平面説明図。
【図６】従来の受け体へのユニットの取付け構造の他の一例を示す平面説明図。
【符号の説明】
【００２５】
１  ユニット
２  シャシ
３  ユニットケース
９  螺子
１０  螺子の頭部
１１  螺子の先端部
１３  位置決め部
１８  内側壁面
２０  回転ナット
【図１】
2005159140.tif 000003
【図２】
2005159140.tif 000004
【図３】
2005159140.tif 000005
【図４】
2005159140.tif 000006
【図５】
2005159140.tif 000007
【図６】
2005159140.tif 000008